(57)【特許請求の範囲】
【請求項１】
先端側が枢軸により枢着又は回動軸により軸着された一対の柄と、
各々の前記柄の先端側に前記枢軸又は前記回動軸を介して延設された一対のあご部と、
一方の前記あご部に配設され前記柄の先端側が角となる三角形又はＶ字形に形成された切断部と、
他方の前記あご部に前記切断部と向き合って配設され前記切断部と同形の枠状に形成された切断受部と、
前記切断受部の先端に前記切断受部の内側縁の頂部と交わる位置に形成され回り縁の底面と当接する回り縁当接面と、
前記回り縁当接面の前記切断受部の内側縁の頂部と交わる部分に形成された先端用切り欠きと、
前記切断受部の内側縁の頂部の下部側に配設された連結部と、
を備えていることを特徴とする回り縁用切断具。
【請求項２】
前記柄の先端側の前記切断部の前記角が直角であることを特徴とする請求項１に記載の回り縁用切断具。
【請求項３】
前記切断部と前記切断受部が、前記あご部に脱着自在に配設されていることを特徴とする請求項１又は２に記載の回り縁用切断具。
【発明の詳細な説明】
【０００１】
【発明の属する技術分野】
本発明は、壁面と天井の見切りに用いられる回り縁を屈曲させるために、回り縁の所定部をＶ字形状に切り落とす回り縁用切断具に関するものである。
【０００２】
【従来の技術】
従来、一般に、建造物の壁面と壁面或いは壁面と天井の仕上げ材の見切りには、意匠性及び外観を向上させるために各種の見切り縁が用いられている。見切り縁として、特に、壁面と天井の見切りに用いられるものとして回り縁がある。通常、回り縁は一直線状に取り付けられるとは限らず、建造物の間取り等に合わせて屈曲させるか、或いは、長尺の２つの回り縁の端部を所定角度で突き合わせ接着剤等を介して接着し取り付けられている。回り縁を建造物の間取り等に合わせて屈曲させる場合は、回り縁の所定部分を鋸、鋏、カッター等の切断工具でＶ字形状に切り落とし屈曲させていた。
【０００３】
図９（ａ）は従来の鋸を用いた回り縁の切断を説明する斜視図であり、図９（ｂ）は切断された回り縁を示す斜視図であり、図９（ｃ）は切断され屈曲された回り縁を示す斜視図である。
図中、１１は断面略コ字形状に形成された一般的な回り縁、Ｘは回り縁１１の底面、Ｙは回り縁１１の上面、Ｚは回り縁１１の下面、Ａは鋸である。
【０００４】
回り縁１１を建造物の間取り等に合わせて屈曲させる場合は、図９（ａ）に示すように、合成樹脂等で形成された断面略コ字形状の回り縁１１の上面Ｙ及び下面Ｚに鋸ＡでＶ字形状の切り込みを入れる。そして、図９（ｂ）、（ｃ）に示すように、切断した上面Ｙ、下面Ｚの各々の切り込みの切断端面同士を突き合わせるようにして所定の角度に回り縁１１を屈曲させる。このとき、上面Ｙ、下面Ｚの各々のＶ字形状の切り込みの頂角の角度を種々に設定することにより、種々の角度で回り縁１１を屈曲させることが可能である。例えば、切り込みの頂角の角度を９０°に設定して切断すれば、回り縁１１を９０°即ち直角に屈曲させることができる。
【０００５】
【発明が解決しようとする課題】
しかしながら上記従来の技術では、以下のような課題を有していた。
（１）鋸、鋏、カッター等の切断工具では、Ｖ字形状の切り込みを入れるために、少なくとも２つの線状の切り込みを入れる必要があり、手間がかかるため省力性及び施工性に欠けるという課題を有していた。
（２）また、回り縁の上面及び下面の所定部分を高い精度で切断するためには、予め切断箇所に線引き等して印を付けておく必要があるため作業性に欠けるという課題を有していた。
（３）更に、Ｖ字形状の切り込みの頂角の角度は、例えば９０°等の所定角度に設定する必要があるが、鋸等の切断工具では、設定した角度で正確に切断することは熟練を要するため、角度の設定の精度に欠けるという課題を有していた。
（４）回り縁の上面や下面の底面側に切り込み残が残っていると、その切り込み残により所定角度に折り曲げることができないという課題を有していた。
【０００６】
本発明は上記従来の課題を解決するもので、容易且つ高精度で回り縁に所定角度の切り込みを入れることができ、回り縁の上面、下面に切り込み残による膨出部等の発生を防ぎ、回り縁を所定の角度に容易且つ見栄えよく屈曲させることができる回り縁用切断具を提供することを目的とする。
【０００７】
【課題を解決するための手段】
上記課題を解決するために本発明の回り縁用切断具は、以下の構成を有している。
【０００８】
本発明の請求項１に記載の回り縁用切断具は、先端側が枢軸により枢着又は回動軸により軸着された一対の柄と、各々の前記柄の先端側に前記枢軸又は前記回動軸を介して延設された一対のあご部と、一方の前記あご部に配設され前記柄の先端側が角となる三角形又はＶ字形に形成された切断部と、他方の前記あご部に前記切断部と向き合って配設され前記切断部と同形の枠状に形成された切断受部と、前記切断受部の先端に前記切断受部の内側縁の頂部と交わる位置に形成され回り縁の底面と当接する回り縁当接面と、前記回り縁当接面の前記切断受部の内側縁の頂部と交わる部分に形成された先端用切り欠きと、前記切断受部の内側縁の頂部の下部側に配設された連結部と、を備えた構成を有している。
【０００９】
この構成により、以下のような作用を有する。
（１）柄の後端側を握ることで柄を操作して枢軸又は回動軸を介してあご部に形成された切断部を切断受部に嵌入させ、切断部の縁部と切断部が嵌入する切断受部の内側縁との剪断により回り縁の上面や下面に所定角度のＶ字形状の切り込みを入れ、その部分を切り落とすことができ、これにより、回り縁を所定の角度で屈曲させることができる。
（２）柄の後端側を握るのみで回り縁の上面や下面の所定部分を切断しＶ字形状の切り込みを入れることができるので、熟練を必要とせず、また、鋸等による煩雑な切断作業を必要とせず省力性、作業性に優れる。
（３）回り縁の上面や下面に所定角度の切り込みを入れることができるので、予め線引き等する必要がなく高い精度で回り縁の上面や下面に所望の角度の切り込みを入れることができ、高い精度で所望の角度に回り縁を屈曲させることができる。
（４）切断受部の先端の回り縁に当接する部分に回り縁当接面が形成されているため、回り縁を切断する際に、回り縁の底面に回り縁当接面を当接させ、回り縁切断具を回り縁の長手方向に対して正確に直角に当接させることができ、高精度で切り込みを形成することができる。
（５）回り縁当接面が切断受部の内側縁の頂部と交わる位置に形成されているので、回り縁の上面や下面の最奥部に切断部の頂部を合わせることができ、切り込みの頂部を回り縁の上面又は下面の最奥部に形成することができ、回り縁を容易に屈曲させることができる。
（６）回り縁の上面や下面を底面との折り曲げ部分で切断することができ、回り縁の上面や下面の底部側に切り込み残が残らないので見栄えよく所定角度に簡単に折り曲げることができる。
（７）先端用切り欠きが設けられていることにより、切断部を切断受部に嵌入させた場合、先端用切り欠きに切断部の頂部が入り込み、回り縁の上面や下面の最奥部に切断部の頂部を合わせることができ、容易に切り込みの頂部を回り縁の上面又は下面の底面側の最奥部に形成することができる。
（８）連結部が切断受部の先端の下部に配設されていることにより、枠状の切断受部の先端が分断されることによる機械的強度の低下を防ぎ、切断受部の先端の変形等を防ぐことができる。
【００１０】
ここで、柄及びそれに延設されているあご部は、一連の鋼材を加工して一体的に形成されることが好ましいが、柄の先端にあご部を溶接等により強固に固着してもよい。
切断部は、柄の先端側が角となる三角形又はＶ字形に形成され、切断受部に嵌入するように形成されている。少なくとも切断部の縁部は、それに対応する切断受部の内側縁に密接して嵌入すればよい。切断部の先端側の角を構成する２辺の縁部は、剪断力を高めるために面取りをせず角型に形成されることが好ましく、また、この先端側の角を構成する２辺の縁部を刃状に形成してもよい。これにより、剪断による切断力を向上させることができる。
切断受部は、切断部が密接に嵌入するように切断部と同形状の凹状又は枠状に形成されている。切断受部の内側縁の上端部を切断部と同様に刃状に形成してもよい。これにより、剪断による切断力を向上させることができる。
なお、一対の柄の後端側に架設して弾性体を設けてもよい。これにより、各々の柄の後端側に設けられた握り部等に外側に向けて弾性力が付加されるため、連続的な操作が可能であり取り扱い性に優れる。ここで、弾性体としては、弦巻ばね、板ばね、ねじりコイルばね等のばね材が用いられる。
なお、回り縁当接面には、切断部の先端と対向して切断部の先端用切り欠きが形成されている。これにより、切断部を切断受部に嵌入させた場合、先端用切り欠きに切断部の先端部が入り込み、回り縁の上面や下面を底面との折り曲げ部分で切断することができる。
【００１１】
請求項２に記載の回り縁用切断具は、請求項１に記載の発明において、前記柄の先端側の前記切断部の前記角が直角である構成を有している。
【００１２】
この構成により、請求項１の作用に加え、以下のような作用を有する。
（１）回り縁の上面や下面に常に９０°の切り込みを入れることができるので、容易に回り縁を直角に屈曲させることができる。
【００１３】
請求項３に記載の回り縁用切断具は、請求項１又は２に記載の発明において、前記切断部と前記切断受部が、前記あご部に脱着自在に配設されている構成を有している。
【００１４】
この構成により、請求項１又は２の作用に加え、以下のような作用を有する。
（１）種々の角度の頂角を有する切断部とそれに対応した切断受部をあご部に脱着させて取り換えて使用することができるので、回り縁の上面や下面に種々の頂角のＶ字形状の切り込みを入れ、出窓等種々の角度を有するものに対応した角度に折り曲げることができる。
【００２２】
【発明の実施の形態】
以下、本発明の一実施の形態について、図を用いて説明する。
（実施の形態１）
図１は本実施の形態１における回り縁用切断具の全体斜視図であり、図２は本実施の形態１における回り縁用切断具の正面図であり、図３は本実施の形態１における回り縁用切断具の背面図であり、図４は本実施の形態１における回り縁用切断具の右側面図であり、図５は本実施の形態１における回り縁用切断具の平面図であり、図６は本実施の形態１における回り縁用切断具の底面図である。
【００２３】
図中、１は本実施の形態１における回り縁用切断具、２ａは上部側柄、２ｂは下部側柄、３は上部側柄２ａ及び下部側柄２ｂの各々の下端側に形成されている握り部、４は枢軸、５ａは下部側柄２ｂの先端側に形成されている上部側あご部、５ｂは上部側柄２ａの先端側に形成されている下部側あご部、６は上部側あご部５ａに固定された切断部、６ａは切断部６の先端側の縁部、７は下部側あご部５ｂに固定された切断受部、７ａは切断受部７の内側縁、８は上部側柄２ａと下部側柄２ｂに架設された弾性体、９は切断受部７の先端に形成された回り縁当接面、９ａは回り縁当接面９に形成された先端用切り欠き、１０は切断受部７の先端の下部に配設された連結部である。
【００２４】
一対の上部側柄２ａ、下部側柄２ｂは、枢軸４で交差し、枢軸４で互いに軸着されている。なお、枢軸４の代わりに回動軸用いて軸着してもよい。
【００２５】
一対の上部側あご部５ａ、下部側あご部５ｂには、その開閉方向の内側に互いに向き合うように切断部６と切断受部７が形成されている。切断部６は、三角形板状に形成され、先端側に角が位置するように上部側あご部５ａに固定されている。本実施の形態１においては、切断部６の先端側の角は９０°に形成されている。これにより、回り縁に９０°のＶ字形状の切り込みを形成することができる。切断部６が切断受部７に嵌入すると、切断部６の先端側の２辺の縁部６ａとそれに対応する切断受部７の内側縁７ａによる剪断により、切断部６と切断受部７との間に挟んだ回り縁の上面や下面を切断して頂角が９０°のＶ字形状に切り落とすことができる。なお、切断部６の縁部６ａの角や切断受部７の内側縁７ａの角は、面取りをせずに鋭く形成されている。これにより、剪断による切断力を向上させることができる。
【００２６】
回り縁当接面９は切断受部７の先端に回り縁の底面の壁面に当接するように形成されている。本実施の形態１においては、回り縁当接面９は回り縁用切断具１の長手方向に直交して形成されている。これにより、回り縁切断具１を回り縁の長手方向に対して正確に直角に当接させることができ、高精度で切り込みを形成することができる。また、回り縁当接面９は切断受部７の内側縁７ａの頂部に交わるように形成され、切断受部７の内側縁７ａの頂部と交わる部分に０．５ｍｍ〜１ｍｍ程度の幅を有する先端用切り欠き９ａが形成されている。先端用切り欠き９ａは、回り縁当接面９が切断受部７の内側縁７ａの頂部に交わるように形成されることで、回り縁当接面９が分断され形成されたものである。先端用切り欠き９ａが設けられていることにより、切断部６を切断受部７に嵌入させた場合、先端用切り欠き９ａに切断部６の頂部が入り込み、回り縁の上面や下面の最奥部に切断部６の頂部を合わせることができ、容易に切り込みの頂部を回り縁の上面又は下面の底面側の最奥部に形成することができる。連結部１０は切断受部７の先端の下部に配設されている。これにより、先端用切り欠き９ａにより分断された切断受部７の先端を補強し、機械的強度を向上させることができる。
【００２７】
以上のように構成された回り縁用切断具について、以下その動作を図を用いて説明する。
図７は本実施の形態１における回り縁用切断具の切断動作を示す説明図であり、図８は本実施の形態１における回り縁用切断具の切断状態を示す説明図である。
【００２８】
図中、１は本実施の形態１における回り縁用切断具、２ａは上部側柄、２ｂは下部側柄、３は握り部、４は回動軸、５ａは上部側あご部、５ｂは下部側あご部、６は切断部、６ａは縁部、７は切断受部、７ａは内側縁、８は弾性体であり、これらは図１において説明したものと同様であるので同一の符号を付けて説明を省略する。１１は断面略コ字形状の回り縁、Ｘは回り縁１１の底面、Ｙは回り縁１１の上面、Ｚは回り縁１１の下面である。
なお、本実施の形態１においては、断面略コ字形状の回り縁１１の上面Ｙを切断する場合について説明する。回り縁１１の下面Ｚを切断する場合は、上面Ｙを切断する場合と同様であるので説明を省略する。
【００２９】
図７に示すように、回り縁１１の上面Ｙを切断部６と切断受部７との間に挟む。このとき、回り縁当接面９を回り縁１１の底面Ｘの内側壁に当接させ、回り縁用切断具１を回り縁１１の長手方向に対して直角に当接させる。続いて、握り部３を握り、上部側柄２ａと下部側柄２ｂを接近させるように操作し、枢軸４を介して切断部６を切断受部７に嵌入させる。図８に示すように、切断部６が切断受部７に嵌入されると、切断部６の縁部６ａと切断受部７の内側縁７ａとの剪断により、回り縁１１の上面Ｙが切断され、上面Ｙに切断部６と同形状で角度が９０°のＶ字形状の切り込みが形成される。同様にして、回り縁１１の下面Ｚを切断し、上面Ｙに形成された切り込みの下部の下面Ｚに、切断部６と同形状で角度が９０°のＶ字形状の切り込みを形成する。
【００３０】
回り縁１１を屈曲させるには、従来の技術で図９（ｂ）、（ｃ）を用いて説明したように、切断した上面Ｙ、下面Ｚの各々の切り込みの切断端面同士を突き合わせるようにして、回り縁１１を９０°屈曲させる。なお、本実施の形態１においては、切断部６の先端側の角の角度を９０°即ち直角としたが、これに限られるものではなく、切断部６を種々の角度の三角形又はＶ字形に形成することもできる。これにより、上面Ｙ、下面Ｚの各々のＶ字形状の切り込みの角度を種々に設定することができ、種々の角度で回り縁１１を屈曲させることが可能である。
【００３１】
以上のように、本実施の形態１における回り縁用切断具１は構成されているので、柄２ａ、２ｂの握り部３を握ることで枢軸４を介してあご部５ａに形成された切断部６をあご部５ｂに形成された切断受部７に嵌入させ、切断部６の縁部６ａとそれに嵌入する切断受部７の内側縁７ａとの剪断により回り縁１１に９０°のＶ字形状の切り込みを入れることができ、これにより、回り縁１１を９０°に屈曲させることができるという作用を有する。
【００３２】
また、切断部６の先端の角が９０°に形成されているので、回り縁１１の上面Ｙや下面Ｚに９０°の切り込みを入れ切り落とすことができ、予め線引き等しなくても高い精度で回り縁１１の上面Ｙや下面Ｚに９０°の切り込みを入れることができるという作用を有する。
【００３３】
また、切断受部７の先端の回り縁１１に当接する部分に回り縁当接面９が形成されているため、回り縁１１を切断する際に、回り縁１１の底面Ｘに回り縁当接面９を当接させ、回り縁切断具１を回り縁１１の長手方向に対して正確に直角に当接させることができ、高精度で切り込みを形成することができるという作用を有する。
【００３４】
また、回り縁当接面９が、切断受部７の内側縁７ａの頂部と交わる位置に形成され切断部６の頂部が入り込む先端用切り欠き９ａが形成されているので、回り縁１１の上面Ｙや下面Ｚに切り込み残が残らず見栄えよく簡単に折り曲げることができるという作用を有する。
【００３５】
【発明の効果】
以上説明したように本発明の回り縁用切断具によれば、以下のような有利な効果が得られる。
【００３６】
請求項１に記載の発明によれば、
（１）柄の後端側を握ることで柄を操作して枢軸又は回動軸を介してあご部に形成された切断部を切断受部に嵌入させ、切断部の縁部と切断部が嵌入する切断受部の内側縁との剪断により回り縁の上面や下面に所定角度のＶ字形状の切り込みを入れ、その部分を切り落とすことができ、これにより、回り縁を所定の角度で屈曲させることができる回り縁用切断具を提供することができる。
（２）柄の後端側を握るのみで回り縁の上面や下面の所定部分を切断しＶ字形状の切り込みを入れることができるので、熟練を必要とせず、また、鋸等による煩雑な切断作業を必要とせず省力性、作業性に優れる回り縁用切断具を提供することができる。
（３）回り縁の上面や下面に所定角度の切り込みを入れることができるので、予め線引き等する必要がなく高い精度で回り縁の上面や下面に所望の角度の切り込みを入れることができ、高い精度で所望の角度に回り縁を屈曲させることができる回り縁用切断具を提供することができる。
（４）切断受部の先端の回り縁に当接する部分に回り縁当接面が形成されているため、回り縁を切断する際に、回り縁の底面に回り縁当接面を当接させ、回り縁切断具を回り縁の長手方向に対して正確に直角に当接させることができ、高精度で切り込みを形成することができる回り縁用切断具を提供することができる。
（５）回り縁当接面が切断受部の内側縁の頂部と交わる位置に形成されているので、回り縁の上面や下面の最奥部に切断部の頂部を合わせることができ、切り込みの頂部を回り縁の上面又は下面の最奥部に形成することができ、回り縁を容易に屈曲させることができ回り縁用切断具を提供することができる。
（６）回り縁の上面や下面の底部側に切り込み残が残らないので見栄えよく所定角度に簡単に折り曲げることができる回り縁用切断具を提供することができる。
（７）先端用切り欠きが設けられていることにより、切断部を切断受部に嵌入させた場合、先端用切り欠きに切断部の頂部が入り込み、回り縁の上面や下面の最奥部に切断部の頂部を合わせることができ、容易に切り込みの頂部を回り縁の上面又は下面の底面側の最奥部に形成することができる。
（８）連結部が切断受部の先端の下部に配設されていることにより、枠状の切断受部の先端が分断されることによる機械的強度の低下を防ぎ、切断受部の先端の変形等を防ぐことができる回り縁用切断具を提供することができる。
【００３７】
請求項２に記載の発明によれば、請求項１の効果に加え、
（１）回り縁の上面や下面に常に９０°の切り込みを入れることができるので、容易に回り縁を直角に屈曲させることができる回り縁用切断具を提供することができる。
【００３８】
請求項３に記載の発明によれば、請求項１又は２の効果に加え、
（１）種々の角度の頂角を有する切断部とそれに対応した切断受部をあご部に脱着させて取り換えて使用することができるので、回り縁の上面や下面に種々の頂角のＶ字形状の切り込みを入れ、出窓等種々の角度を有するものに対応した角度に折り曲げることができる回り縁用切断具を提供することができる。
【図面の簡単な説明】
【図１】実施の形態１における回り縁用切断具の全体斜視図
【図２】実施の形態１における回り縁用切断具の正面図
【図３】実施の形態１における回り縁用切断具の背面図
【図４】実施の形態１における回り縁用切断具の右側面図
【図５】実施の形態１における回り縁用切断具の平面図
【図６】実施の形態１における回り縁用切断具の底面図
【図７】実施の形態１における回り縁用切断具の切断動作を示す説明図
【図８】実施の形態１における回り縁用切断具の切断状態を示す説明図
【図９】（ａ）従来の鋸を用いた回り縁の切断を説明する斜視図
（ｂ）切断された回り縁を示す斜視図
（ｃ）切断され屈曲された回り縁を示す斜視図
【符号の説明】
１  回り縁用切断具
２ａ  上部側柄
２ｂ  下部側柄
３  握り部
４  回動軸
５ａ  上部側あご部
５ｂ  下部側あご部
６  切断部
６ａ  縁部
７  切断受部
７ａ  内側縁
８  弾性体
９  回り縁当接面
９ａ  先端用切り欠き
１０  連結部
１１  回り縁
Ｘ  底面
Ｙ  上面
Ｚ  下面
Ａ  鋸
【図１】
0003694486.tif 000002
【図２】
0003694486.tif 000003
【図３】
0003694486.tif 000004
【図４】
0003694486.tif 000005
【図５】
0003694486.tif 000006
【図６】
0003694486.tif 000007
【図７】
0003694486.tif 000008
【図８】
0003694486.tif 000009
【図９】
0003694486.tif 000010